(57)【要約】【課題】インサート部材である永久磁石と軸を精度良くインサート組立てを行い、ギアを一体成形することで精度の良い角度計測用ギアを得ることができるインサート樹脂成形金型を提供することを目的とする。【解決手段】１はインサート部材である永久磁石であり４の金型固定側コアが可動する。また、２は上記インサート部材である軸であり、５の金型可動側コアが可動する。上記インサート部材１，２は、金型コア４，５が、金型パーティングライン面８まで移動することで挿入を容易にし、安定供給することが可能になり、型内にてインサート部材を組立てられ、精度の良い角度計測用ギアを得ることができる。【選択図】図２
2006035669.tif 000002
【特許請求の範囲】
【請求項１】
永久磁石と軸をインサート部材とし、ギア成形と一体化した角度計測用のギアにおいて、上記インサート部材である永久磁石と軸がギア成形に対して同心円上に精度よく一体成形され精度の良い角度計測用ギアを得ることができる金型コアを有した構成のインサート樹脂成形金型。
【請求項２】
成形金型の固定型及び可動型の型面に対設された金型キャビティに内蔵された可動する固定側及び可動側金型コアを有し、インサート部材の寸法バラツキに対して上記金型キャビティに内蔵された金型コアに上記インサートのバラツキ調整用ピンを内蔵し、寸法バラツキを吸収することができる構成にしたことを特徴とする請求項１に記載のインサート樹脂成形金型。
【請求項３】
金型コアにインサートされた部材を確実に金型コアに挿入するために上記金型コアにエアによる吸引可能な溝を配置してインサート部材を吸引し、供給時の安定化及び供給ミスが発生した場合、エアによる吸引圧力が上昇しないため、自動機を停止するなど誤動作を防止することができる構成にしたことを特徴とする請求項１に記載のインサート樹脂成形金型。
【発明の詳細な説明】
【技術分野】
【０００１】
本発明は、永久磁石と軸が、ギア成形に対して同心円上に精度よく組立てられ、精度の良い角度計測用ギアとして製造できる構成のインサート樹脂成形金型に関するものである。
【背景技術】
【０００２】
従来この種の角度計測用ギアは、永久磁石と軸を単体の樹脂成形ギアに対して組立てる構成をとっており、組立てのためのクリアランスが生じるため、永久磁石と軸にて構成されるギアは同心円上に位置せず、精度よく組立て構成できなかった。
【０００３】
なお、この出願に関する先行技術文献情報としては、例えば、特許文献１が知られている。
【特許文献１】特開平３−１５５９１４号公報
【発明の開示】
【発明が解決しようとする課題】
【０００４】
上記従来の永久磁石と軸を単体の樹脂成形ギアに対して組立てる方法では、永久磁石と軸とギアが同心円上に精度よく組立てられない課題を有していた。
【０００５】
本発明は、前記課題を解決しようとするものであり、インサート成形金型において、インサート部材である永久磁石と軸を精度良くインサート組立てを行い、ギアを一体成形するものであり、成形金型に設置された金型コアを可動することによりインサート部材を金型に安定供給しようとするものであり、インサート部材の寸法精度のバラツキに対しても金型調整ピンにてバラツキを吸収することができるインサート樹脂成形金型を提供することを目的とするものである。
【課題を解決するための手段】
【０００６】
前記目的を達成するために、本発明は以下の構成を有する。
【０００７】
本発明の請求項１に記載の発明は、特に、永久磁石と軸をインサート部材とし、ギア成形と一体化した角度計測用のギアにおいて、上記インサート部材である永久磁石と軸がギア成形時に際して同心円上に精度よく一体成形される金型コアとなる固定側コアと可動側コアを有した構成を有しており、これにより個々に成形した部品に対して組立てる際のバラツキがなく、インサート部材である永久磁石と軸がギアに対して同心円上に精度よく一体成形できる精度の良い角度計測用ギアが得られるという作用効果が得られる。
【０００８】
本発明の請求項２に記載の発明は、特に、成形金型の固定型及び可動型の型面に対設された金型キャビティに内蔵された固定側及び可動側金型コアがそれぞれ永久磁石や軸を供給する際に、供給部品（永久磁石や軸）を受け取り、保持しやすい様にパーティングライン面側に突き出る様に可動し、インサート部材である永久磁石と軸の安定供給化を図り、自動供給を可能にする。また自動供給を可能にすることでハイサイクル生産ができる。また、インサート部材のたとえば永久磁石の厚み方向の寸法バラツキに対して上記金型キャビティに内蔵された金型コアに、上記インサートのバラツキ調整用ピンを内蔵し、固定側金型端面に当接した永久磁石に、さらに軸を当接させて位置出しする際に、永久磁石の厚み方向の寸法バラツキを吸収することができるという構成を有しており、これによりインサート部材の金型内組立てを可能にするという作用効果が得られる。かつ、インサート部材の精度バラツキがあっても金型を破損することがないという作用効果が得られる。
【０００９】
本発明の請求項３に記載の発明は、特に、金型コアにインサートされた部材を確実に金型コアに挿入するために上記金型コアにエアによる吸引可能な溝を配置してインサート部材を吸引し、供給時の安定化及び供給ミスが発生した場合、エアによる吸引圧力が上昇しないため、自動機を停止するなど誤動作を防止することができるという構成を有しており、これにより、インサート部材を金型コアに安定して固定できるという作用効果が得られる。
【発明の効果】
【００１０】
本発明によるインサート樹脂成形金型は、インサート部材である永久磁石と軸を精度良く金型内組立てを行い、ギアを一体成形するものであり、角度計測精度を向上できるギアを得ることができるインサート樹脂成形金型を提供するものである。また、金型コアを可動することにより、インサート部材を金型に安定供給しようとするものであり、ロボットによる自動化が実現でき生産性が向上できる。またインサート部材の寸法精度のバラツキに対しても金型調整ピンにてバラツキを吸収することができ、金型を破損することなく、安定生産が実現できるという効果を有する。
【発明を実施するための最良の形態】
【００１１】
以下、実施の形態１を用いて、本発明の特に請求項１，２，３に記載の発明について説明する。
【００１２】
なお、背景の技術において説明したものと同じ構成部材などについては、同じ符号を付与し詳細な説明は省略する。
【００１３】
図１は本発明の実施の形態における角速度計測用ギア製品の要部断面図、図２はインサート樹脂成形金型の要部断面構造図、図３は固定側コアの要部断面詳細図、図４、図５は同動作工程を説明する要部構成断面図である。図１において１はインサート部材である永久磁石、２は軸であり、３の樹脂ギア部分と一体成形されている。インサート樹脂成形金型により上記永久磁石１と、軸２が精度良く組立てられ、樹脂ギア部分３と一体成形することで精度良く角速度が計測されるものである。図２において、１は上記インサート部材である永久磁石であり４の金型固定側コアが可動する。また、２は上記インサート部材である軸であり、５の金型可動側コアが可動する。６は、上記金型可動側コア５の中に伸縮自在に可動することができるピンであり、インサート部材である永久磁石１や軸２の寸法精度バラツキがある場合、上記金型固定側コア４と金型可動側コア５を破損することなく吸収する調整ピンである。７は、上記調整ピン６が伸縮自在に可動するためのスプリングである。９は固定側金型、１０は可動側金型であり８の金型パーティングライン面で当接する。上記永久磁石１と軸２のインサート部材は金型固定側コア４、金型可動側コア５が図２のように上記金型パーティングライン面８まで移動することで挿入を容易にし、安定供給することが可能になる。このとき、永久磁石１はインサート時に金型固定側コア４先端部分のガイド１１に案内され挿入されるが、不安定であり、上記固定側金型９および可動側金型１０が閉じるとき、落下あるいは挿入ズレなどを起こし、金型パーティングライン面８で挟まれ金型を破損させる。そのため図３のように、上記金型固定側コア４は、上記永久磁石１を固定するため、エアー穴１２よりエアー吸着できる構造としており、金型の破損を防ぐことができる。図４は、インサート部材である永久磁石１、軸２が挿入されている状態を示す。図５は、上記固定側金型９及び可動側金型１０が閉じ、それぞれ上記金型固定側コア４、金型可動側コア５が可動し所定の位置まで移動後、ギア一体成形される。上記金型固定側コア４、金型可動側コア５が上記金型パーティングライン面８まで可動し、インサート部材である上記永久磁石１、軸２の挿入を容易かつ安定供給することができ、ロボットによる自動供給を可能にし、成形サイクルを向上させ生産性向上を図ることができる。
【産業上の利用可能性】
【００１４】
本発明にかかるインサート樹脂成形金型は、インサート部材である永久磁石と軸を精度良く金型内組立てを行い、ギアを一体成形するものであり、角度計測精度を向上できるギアを得ることができるインサート樹脂成形金型を提供するものである。また金型コアを可動にすることによりインサート部材を金型に安定供給しようとするものであり、ロボットによる自動化が実現でき、生産性が向上できる。またインサート部材の寸法精度のバラツキに対しても、金型調整ピンにてバラツキを吸収することができ、金型破損することなく安定生産が実現できるという効果を有し、永久磁石と軸がギア成形に対して同心円上に精度良く組立てられ精度の良い角度計測用ギアを製造する構成のインサート樹脂成形金型などの用途に有用である。
【００１５】
あるいは、本発明にかかるインサート樹脂成形金型は、インサート部材である永久磁石と軸を精度良く金型内組立てを行い、ギアを一体成形するものであり、角度計測精度を向上できるギアを得ることができるインサート樹脂成形金型を提供するものである。また金型コアを可動にすることによりインサート部材を金型に安定供給しようとするものであり、ロボットによる自動化が実現でき、生産性が向上できる。またインサート部材の寸法精度のバラツキに対しても、金型調整ピンにてバラツキを吸収することができ金型破損することなく安定生産が実現できるという効果が必要な、永久磁石と軸がギア成形に対して同心円上に精度良く組立てられ精度の良い角度計測用ギアを製造する構成のインサート樹脂成形方法などの用途にも適用できる。
【図面の簡単な説明】
【００１６】
【図１】角速度計測用ギア製品の要部断面図
【図２】本発明の実施の形態１におけるインサート樹脂成形金型の要部断面構造図
【図３】固定側コアの要部断面詳細図
【図４】同動作工程を説明する要部構成断面図
【図５】同動作工程を説明する要部構成断面図
【符号の説明】
【００１７】
１  永久磁石
２  軸
３  ギア
４  金型固定側コア
５  金型可動側コア
６  調整ピン
７  スプリング
８  金型パーティングライン面
９  固定側金型
１０  可動側金型
１１  ガイド
１２  エアー穴
【図１】
2006035669.tif 000003
【図２】
2006035669.tif 000004
【図３】
2006035669.tif 000005
【図４】
2006035669.tif 000006
【図５】
2006035669.tif 000007